(57)【要約】【解決手段】書いたり消したりすることができる記載面１ａを基板１に設け、その基板１の記載面１ａ上に表示樹脂層２０をインクジェットプリンタにより印刷し、その表示樹脂層２０上のみに被覆樹脂層２１をインクジェットプリンタにより印刷してその被覆樹脂層２１を通してこの表示樹脂層２０を視認可能にするとともに、その表示樹脂層２０と被覆樹脂層２１とを有する積層表示体１９の周辺で基板１の記載面１ａを露出させた。この被覆樹脂層２１は、表示樹脂層２０の外周縁部２０ａに面する基板１の記載面１ａ上に印刷されて接触する壁部２３を有している。【効果】ライティングボードにおいて表示樹脂層２０を含む積層表示体１９の剥離を防止することができる。【選択図】図２
2007301898.tif 000002
【特許請求の範囲】
【請求項１】
書いたり消したりすることができる記載面を基板に設け、その基板の記載面上に表示樹脂層を印刷し、その表示樹脂層上のみに被覆樹脂層を印刷してその被覆樹脂層を通してこの表示樹脂層を視認可能にするとともに、その表示樹脂層と被覆樹脂層とを有する積層表示体の周辺で基板の記載面を露出させたことを特徴とするライティングボード。
【請求項２】
前記被覆樹脂層は、前記表示樹脂層の外周縁部に面する基板の記載面上に印刷されて接触する壁部を有していることを特徴とする請求項１に記載のライティングボード。
【請求項３】
前記表示樹脂層と被覆樹脂層とはそれぞれインクジェットプリンタにより印刷されていることを特徴とする請求項１または請求項２に記載のライティングボード。
【請求項４】
書いたり消したりすることができる記載面を基板に設け、その基板の記載面上に下地樹脂層を印刷し、その下地樹脂層上のみに表示樹脂層を印刷するとともに、その下地樹脂層と表示樹脂層とを有する積層表示体の周辺で基板の記載面を露出させたことを特徴とするライティングボード。
【請求項５】
前記下地樹脂層と表示樹脂層とはそれぞれインクジェットプリンタにより印刷されていることを特徴とする請求項４に記載のライティングボード。
【請求項６】
書いたり消したりすることができる記載面を基板に設け、その基板の記載面上に下地樹脂層を印刷し、その下地樹脂層上のみに表示樹脂層を印刷し、その表示樹脂層上のみに被覆樹脂層を印刷してその被覆樹脂層を通してこの表示樹脂層を視認可能にするとともに、その下地樹脂層と表示樹脂層と被覆樹脂層とを有する積層表示体の周辺で基板の記載面を露出させたことを特徴とするライティングボード。
【請求項７】
前記下地樹脂層と表示樹脂層と被覆樹脂層とはそれぞれインクジェットプリンタにより印刷されていることを特徴とする請求項６に記載のライティングボード。
【発明の詳細な説明】
【技術分野】
【０００１】
本発明は、基板上に対し筆記具により書いたりその基板上の記載部分を消したりすることが自由にできるホワイトボードなどのライティングボードに関するものである。
【背景技術】
【０００２】
従来のホワイトボードにおいては、自由に書いたり消したりすることができる記載面が基板に設けられ、その基板の記載面上には罫線や文字などを表した表示樹脂層が印刷されてその表示樹脂層の周辺で基板の記載面が露出している。
【発明の開示】
【発明が解決しようとする課題】
【０００３】
しかし、基板は後述するホーローホワイトやスチールホワイトやスチール複合板などの上に上記の記載面を有しているため、罫線や文字などを表した表示樹脂層が基板の記載面から剥離し易い。
【０００４】
この発明はライティングボードにおいて表示樹脂層の剥離を防止することを目的としている。
【課題を解決するための手段】
【０００５】
後記実施形態の図面（図２（ａ）に示す第１実施形態、図２（ｂ）に示す第２実施形態、図２（ｃ）に示す第３実施形態、図２（ｄ）に示す第４実施形態、図２（ｅ）に示す第５実施形態）の符号を援用して本発明を説明する。
【０００６】
請求項１の発明にかかるライティングボードは、第１〜２実施形態に対応し、下記のように構成されている。
書いたり消したりすることができる記載面１ａを基板１に設けている。その基板１の記載面１ａ上に表示樹脂層２０を印刷している。その表示樹脂層２０上のみに被覆樹脂層２１を印刷してその被覆樹脂層２１を通してこの表示樹脂層２０を視認可能にするとともに、その表示樹脂層２０と被覆樹脂層２１とを有する積層表示体１９の周辺で基板１の記載面１ａを露出させている。
【０００７】
請求項１の発明では、表示樹脂層２０が被覆樹脂層２１と基板１の記載面１ａ上との間で挟持されてその被覆樹脂層２１が表示樹脂層２０に対する保護層として機能するため、使用者が表示樹脂層２０に触れにくくなって表示樹脂層２０が基板１の記載面１ａ上から剥離しにくくなる。しかも、積層表示体１９の周辺で基板１の記載面１ａが露出しているので、その記載面１ａで書いたり消したりすることができる機能に支障はない。
【０００８】
請求項１の発明を前提とする請求項２の発明（第１〜２実施形態に対応）において、前記被覆樹脂層２１は、前記表示樹脂層２０の外周縁部２０ａに面する基板１の記載面１ａ上に印刷されて接触する壁部２３を有している。請求項２の発明では、被覆樹脂層２１の壁部２３により、基板１の記載面１ａに対する被覆樹脂層２１の接着強度が高まり、ひいてはその被覆樹脂層２１により覆われて被覆樹脂層２１と基板１の記載面１ａ上との間で挟持された表示樹脂層２０が基板１の記載面１ａ上から剥離しにくくなる。また、被覆樹脂層２１の壁部２３が表示樹脂層２０の外周縁部２０ａを遮るため、使用者が表示樹脂層２０の外周縁部２０ａに触れにくくなって表示樹脂層２０が基板１の記載面１ａ上から剥離しにくくなる。
【０００９】
請求項１または請求項２の発明を前提とする請求項３の発明（第１〜２実施形態に対応）において、前記表示樹脂層２０と被覆樹脂層２１とはそれぞれインクジェットプリンタにより印刷されている。請求項３の発明では、インクジェットプリンタを採用したので、基板１の記載面１ａに対する表示樹脂層２０の密着性と、表示樹脂層２０に対する被覆樹脂層２１の密着性が高まり、表示樹脂層２０及び被覆樹脂層２１が剥離しにくくなるとともに傷付きにくい。特に、表示樹脂層２０として紫外線硬化型インクを採用し、被覆樹脂層２１として紫外線硬化型樹脂を採用すると、それらの速乾性により、印刷を良好な状態で迅速に行うことができる。
【００１０】
請求項４の発明にかかるライティングボードは、第３実施形態に対応し、下記のように構成されている。
書いたり消したりすることができる記載面１ａを基板１に設けている。その基板１の記載面１ａ上に下地樹脂層２２を印刷している。その下地樹脂層２２上のみに表示樹脂層２０を印刷するとともに、その下地樹脂層２２と表示樹脂層２０とを有する積層表示体１９の周辺で基板１の記載面１ａを露出させている。
【００１１】
請求項４の発明では、下地樹脂層２２の介在により、基板１の記載面１ａに対する表示樹脂層２０の接着強度よりも基板１の記載面１ａに対する下地樹脂層２２の接着強度と下地樹脂層２２に対する表示樹脂層２０の接着強度とが大きくなるので、表示樹脂層２０が剥離しにくくなる。しかも、積層表示体１９の周辺で基板１の記載面１ａが露出しているので、その記載面１ａで書いたり消したりすることができる機能に支障はない。
【００１２】
請求項４の発明を前提とする請求項５の発明（第３実施形態に対応）において、前記下地樹脂層２２と表示樹脂層２０とはそれぞれインクジェットプリンタにより印刷されている。請求項５の発明では、インクジェットプリンタを採用したので、基板１の記載面１ａに対する下地樹脂層２２の密着性と、下地樹脂層２２に対する表示樹脂層２０の密着性が高まり、下地樹脂層２２及び表示樹脂層２０が剥離しにくくなるとともに傷付きにくい。特に、下地樹脂層２２として紫外線硬化型樹脂を採用し、表示樹脂層２０として紫外線硬化型インクを採用すると、それらの速乾性により、印刷を良好な状態で迅速に行うことができる。
【００１３】
請求項６の発明にかかるライティングボードは、第４〜５実施形態に対応し、下記のように構成されている。
書いたり消したりすることができる記載面１ａを基板１に設けている。その基板１の記載面１ａ上に下地樹脂層２２を印刷している。その下地樹脂層２２上のみに表示樹脂層２０を印刷している。その表示樹脂層２０上のみに被覆樹脂層２１を印刷してその被覆樹脂層２１を通してこの表示樹脂層２０を視認可能にするとともに、その下地樹脂層２２と表示樹脂層２０と被覆樹脂層２１とを有する積層表示体１９の周辺で基板１の記載面１ａを露出させている。
【００１４】
請求項６の発明では、表示樹脂層２０が被覆樹脂層２１と下地樹脂層２２との間で挟持されてその被覆樹脂層２１が表示樹脂層２０に対する保護層として機能するため、使用者が表示樹脂層２０に触れにくくなって表示樹脂層２０が剥離しにくくなる。また、下地樹脂層２２の介在により、基板１の記載面１ａに対する表示樹脂層２０の接着強度よりも基板１の記載面１ａに対する下地樹脂層２２の接着強度と下地樹脂層２２に対する表示樹脂層２０の接着強度とが大きくなるので、表示樹脂層２０が剥離しにくくなる。しかも、積層表示体１９の周辺で基板１の記載面１ａが露出しているので、その記載面１ａで書いたり消したりすることができる機能に支障はない。
【００１５】
請求項６の発明を前提とする請求項７の発明（第４〜５実施形態に対応）において、前記下地樹脂層２２と表示樹脂層２０と被覆樹脂層２１とはそれぞれインクジェットプリンタにより印刷されている。請求項７の発明では、インクジェットプリンタを採用したので、基板１の記載面１ａに対する下地樹脂層２２の密着性と、下地樹脂層２２に対する表示樹脂層２０の密着性と、表示樹脂層２０に対する被覆樹脂層２１の密着性とが高まり、下地樹脂層２２と表示樹脂層２０と被覆樹脂層２１とが剥離しにくくなるとともに傷付きにくい。特に、下地樹脂層２２及び被覆樹脂層２１として紫外線硬化型樹脂を採用し、表示樹脂層２０として紫外線硬化型インクを採用すると、それらの速乾性により、印刷を良好な状態で迅速に行うことができる。
【００１６】
請求項６または請求項７の発明を前提とする第８の発明（第４〜５実施形態に対応）において、前記被覆樹脂層２１は、前記表示樹脂層２０の外周縁部２０ａ及び下地樹脂層２２の外周縁部２２ａに面する基板１の記載面１ａ上に印刷されて接触する壁部２３を有している。第８の発明では、被覆樹脂層２１の壁部２３により、基板１の記載面１ａに対する被覆樹脂層２１の接着強度が高まり、ひいてはその被覆樹脂層２１により覆われて被覆樹脂層２１と下地樹脂層２２との間で挟持された表示樹脂層２０が剥離しにくくなる。また、被覆樹脂層２１の壁部２３が表示樹脂層２０の外周縁部２０ａ及び下地樹脂層２２の外周縁部２２ａを遮るため、使用者が表示樹脂層２０の外周縁部２０ａ及び下地樹脂層２２の外周縁部２２ａに触れにくくなって表示樹脂層２０及び下地樹脂層２２が剥離しにくくなる。
【発明の効果】
【００１７】
本発明はライティングボードにおいて表示樹脂層２０を含む積層表示体１９の剥離を防止することができる。
【発明を実施するための最良の形態】
【００１８】
まず、本発明の第１実施形態にかかるライティングボードについて図１，３及び図２（ａ）を参照して説明する。
図１に示すライティングボードはホワイトボードであって、その基板１としては例えば図３（ａ）に示すものや図３（ｂ）に示すものや図３（ｃ）に示すものなどが知られている。図３（ａ）に示す基板１においては、ホーローホワイト２として、ホーロー用鋼板３の表側でニッケル層４と下引きホーロー５と上引きホーロー６とが順次積層されているとともにホーロー用鋼板３の裏側でニッケル層７と下引きホーロー８とが順次積層され、このホーローホワイト２の裏側下引きホーロー８が合板９上に貼り付けられている。このホーローホワイト２において上引きホーロー６上には図１にも示すようにホワイトボード用マーカーにより自由に書いたり消したりすることができるように滑らかな記載面１ａが設けられている。図３（ｂ）に示す基板１においては、スチールホワイト１０として電気亜鉛メッキ鋼板１１の表側で特殊白焼付塗装層１２が積層され、このスチールホワイト１０の電気亜鉛メッキ鋼板１１の裏側が合板１３上に貼り付けられている。このスチールホワイト１０において特殊白焼付塗装層１２上には図１にも示すようにホワイトボード用マーカーにより自由に書いたり消したりすることができるように滑らかな記載面１ａが設けられている。図３（ｃ）に示す基板１においては、スチール複合板１４として、発泡プラスチック板１５が表側の薄鋼板１６と裏側の薄鋼板１７との間に挟着されているとともに表側の薄鋼板１６上に特殊白焼付塗装層１８が積層されている。このスチール複合板１４において特殊白焼付塗装層１８上には図１にも示すようにホワイトボード用マーカーにより自由に書いたり消したりすることができるように滑らかな記載面１ａが設けられている。
【００１９】
図３に示す基板１の記載面１ａ上には図１に示すように罫線や文字などを表した積層表示体１９が描かれている。図２（ａ）に示すように、この積層表示体１９においては、基板１の記載面１ａ上に表示樹脂層２０（着色された紫外線硬化型インク）がインクジェットプリンタにより印刷され、その表示樹脂層２０上のみに被覆樹脂層２１（紫外線硬化型透明樹脂）がインクジェットプリンタにより印刷されてその被覆樹脂層２１を通してこの表示樹脂層２０が罫線や文字などとして視認可能になっている。この積層表示体１９の周辺で基板１の記載面１ａが露出している。この被覆樹脂層２１の接着性能はこの表示樹脂層２０の接着性能よりも大きい。積層表示体１９の印刷にあたっては、すべての表示樹脂層２０を印刷した後にその表示樹脂層２０上に被覆樹脂層２１を印刷するが、表示樹脂層２０の一部を印刷した直後に被覆樹脂層２１を印刷して表示樹脂層２０の印刷と被覆樹脂層２１の印刷とを同時に行なうことも可能である。
【００２０】
次に、本発明の第２実施形態にかかるライティングボードについて第１実施形態との相違点を中心に図１，３及び図２（ｂ）を参照して説明する。
図２（ｂ）に示すように、第１実施形態における被覆樹脂層２１には表示樹脂層２０の外周縁部２０ａに面する基板１の記載面１ａ上に印刷された壁部２３が設けられ、この壁部２３の内面２３ａが表示樹脂層２０の外周縁部２０ａの全部または一部に接触しているとともに、この壁部２３の端面２３ｂが基板１の記載面１ａ上の全部または一部に接触している。この壁部２３により、表示樹脂層２０の外周縁部２０ａの全体を囲うことが好ましいが、その外周縁部２０ａの一部を囲うだけでもよい。
【００２１】
次に、本発明の第３実施形態にかかるライティングボードについて第１実施形態との相違点を中心に図１，３及び図２（ｃ）を参照して説明する。
図２（ｃ）に示すように、積層表示体１９においては、基板１の記載面１ａ上に下地樹脂層２２（紫外線硬化型透明樹脂）がインクジェットプリンタにより印刷され、その下地樹脂層２２上のみに表示樹脂層２０（着色された紫外線硬化型インク）がインクジェットプリンタにより印刷されて罫線や文字などとして視認可能になっている。この積層表示体１９の周辺で基板１の記載面１ａが露出している。この下地樹脂層２２の接着性能はこの表示樹脂層２０の接着性能よりも大きい。積層表示体１９の印刷にあたっては、すべての下地樹脂層２２を印刷した後にその下地樹脂層２２上に表示樹脂層２０を印刷するが、下地樹脂層２２の一部を印刷した直後に表示樹脂層２０を印刷して下地樹脂層２２の印刷と表示樹脂層２０の印刷とを同時に行なうことも可能である。
【００２２】
次に、本発明の第４実施形態にかかるライティングボードについて第１実施形態との相違点を中心に図１，３及び図２（ｄ）を参照して説明する。
図２（ｄ）に示すように、積層表示体１９においては、基板１の記載面１ａ上に下地樹脂層２２（紫外線硬化型透明樹脂）がインクジェットプリンタにより印刷され、その下地樹脂層２２上のみに表示樹脂層２０（着色された紫外線硬化型インク）がインクジェットプリンタにより印刷され、その表示樹脂層２０上のみに被覆樹脂層２１（紫外線硬化型透明樹脂）がインクジェットプリンタにより印刷されてその被覆樹脂層２１を通してこの表示樹脂層２０が罫線や文字などとして視認可能になっている。この積層表示体１９の周辺で基板１の記載面１ａが露出している。この被覆樹脂層２１の接着性能と下地樹脂層２２の接着性能とはこの表示樹脂層２０の接着性能よりも大きい。積層表示体１９の印刷にあたっては、すべての下地樹脂層２２を印刷した後にその下地樹脂層２２上に表示樹脂層２０を印刷し、次にすべての表示樹脂層２０を印刷した後にその表示樹脂層２０上に被覆樹脂層２１を印刷するが、下地樹脂層２２の一部を印刷した直後に表示樹脂層２０を印刷するとともにその表示樹脂層２０の一部を印刷した直後に被覆樹脂層２１を印刷して下地樹脂層２２の印刷と表示樹脂層２０の印刷と被覆樹脂層２１の印刷とを同時に行なうことも可能である。
【００２３】
次に、本発明の第５実施形態にかかるライティングボードについて第１実施形態との相違点を中心に図１，３及び図２（ｅ）を参照して説明する。
図２（ｅ）に示すように、第４実施形態における被覆樹脂層２１には表示樹脂層２０の外周縁部２０ａ及び下地樹脂層２２の外周縁部２２ａに面する基板１の記載面１ａ上に印刷された壁部２３が設けられ、この壁部２３の内面２３ａが表示樹脂層２０の外周縁部２０ａ及び下地樹脂層２２の外周縁部２２ａの全部または一部に接触しているとともに、この壁部２３の端面２３ｂが基板１の記載面１ａ上の全部または一部に接触している。この壁部２３により、表示樹脂層２０の外周縁部２０ａ及び下地樹脂層２２の外周縁部２２ａの全体を囲うことが好ましいが、それらの外周縁部２０ａ，２２ａの一部を囲うだけでもよい。
【図面の簡単な説明】
【００２４】
【図１】本実施形態にかかるライティングボードを示す平面図である。
【図２】（ａ）は第１実施形態にかかるライティングボードにおいて罫線や文字などを表した表示樹脂層を含む積層体を模式的に示す部分断面図であり、（ｂ）は第２実施形態にかかるライティングボードにおいて積層体を模式的に示す部分断面図であり、（ｃ）は第３実施形態にかかるライティングボードにおいて積層体を模式的に示す部分断面図であり、（ｄ）は第４実施形態にかかるライティングボードにおいて積層体を模式的に示す部分断面図であり、（ｅ）は第５実施形態にかかるライティングボードにおいて積層体を模式的に示す部分断面図である。
【図３】（ａ）（ｂ）（ｃ）はそれぞれ上記ライティングボードの各種基板を模式的に示す部分断面図である。
【符号の説明】
【００２５】
１…基板、１ａ…記載面、１９…積層表示体、２０…表示樹脂層、２０ａ…表示樹脂層の外周縁部、２１…被覆樹脂層、２２…下地樹脂層、２３…被覆樹脂層の壁部。
【図１】
2007301898.tif 000003
【図２】
2007301898.tif 000004
【図３】
2007301898.tif 000005